(57)【特許請求の範囲】
【請求項１】
撮像部を収納する筐体と、
前記筐体の曲面の縁部の近傍に配置した端子部と、
前記端子部を覆う部材であり、前記端子部の近傍の直線状のガイド溝に沿って平行に移動して開くと共に、その平行な移動で前記ガイド溝の先端位置まで開いた際に、前記ガイド溝内の前記先端位置が回動支点となって、前記縁部の曲面に沿って回動して更に開き、その回動で、裏面の所定位置が前記筐体表面の所定の突起を乗り越えて窪みに収まることで位置が定まる蓋部材と、
前記蓋部材が前記窪みに収まった状態のとき、前記蓋部材を開く方向に付勢させると共に、前記蓋部材が前記直線状のガイド溝に沿って平行な移動ができる位置にあるとき、前記ガイド溝に沿って閉じる方向に付勢させる弾性部材とを備えた
カメラ装置。
【請求項２】
請求項１記載のカメラ装置において、
前記弾性部材とは別の弾性部材により、前記蓋部材が前記窪みに収まった状態から前記突起を乗り越えて閉じる方向への力を働かせる
カメラ装置。
【発明の詳細な説明】
【技術分野】
【０００１】
本発明は、例えばデジタルビデオカメラ装置やデジタルスチルカメラ装置などに適用して好適なカメラ装置に関する。
【背景技術】
【０００２】
デジタルビデオカメラ装置などのカメラ装置は、撮像に必要なレンズやそのレンズで結像した像光を撮像する撮像部などを、カメラ本体である筐体に納めて構成されるが、その筐体には、各種付属物を取付けることがある。
例えば、アクセサリシューと称される接続機構部を、カメラ装置の上面に設けて、そのアクセサリシューに接続可能に構成された外部マイクロフォンや、ビデオライトなどの付属装置を取付けることがある。このアクセサリシューは、使用しない場合は邪魔であり、また露出した状態で放置されて塵や埃などで汚れるのを防止するために、カバーを取付けるようにしたものがある。
【０００３】
また、ビデオカメラ装置の場合、ビデオケーブルやオーディオケーブルなどを接続するための端子部を備えたものが一般的である。この端子部についても、使用しない際にはカバーで覆うようにしたものがある。
【０００４】
さらに、メモリカードを装着可能なカードスロットを備えたビデオカメラ装置の場合にも、そのカードスロットに装着されたメモリカードが露出しないように、カードスロットに蓋を設けたものがある。
【０００５】
特許文献１には、カメラ装置のアクセサリシューにカバーを設けたについての記載がある。カバーとしては、図１に着脱自在な蓋１１４を設ける構成が記載されている。
特許文献２には、カメラ装置の端子部にカバーを設けた例についての記載がある。カバーとしては、図７，図８に弾性変形可能な樹脂で構成された端子カバー片４５を設ける点についての記載がある。具体的には、その弾性変形可能な比較的柔軟な樹脂製のカバーの一端をカメラ本体側に固定させた上で、カバーの他端を端子に被せて、カバーとする構成が記載されている。
特許文献３には、カメラ装置のメモリカードスロットを、表示パネルで覆われる位置して、その表示パネルが蓋として機能する構成についての記載がある。
【特許文献１】特開２００５−３１５９８９号公報
【特許文献２】特開平９−１６３１９９号公報
【特許文献３】特開２００７−１７４５８４号公報
【発明の開示】
【発明が解決しようとする課題】
【０００６】
このようにカバーなどを設ける場合には、以下のような問題点がある。
例えば、特許文献１に記載のように、アクセサリシューなどに着脱自在なカバーを設けた場合、カバーを外した状態では、カバーを紛失してしまう可能性があり、好ましくない。カバーそのものに紐などを付けて、カメラ装置本体に付けるようにして、紛失を防ぐことも可能であるが、紐などがあるため、デザイン上、見栄えがよいとは言えない。
【０００７】
この問題点を解決するためには、例えばカメラ装置のアクセサリシューの部分を、筐体の表面に沿って平行に移動して開閉するカバーを設けて、そのカバーを開けた際にアクセサリシューが露出して、付属品を取付けられるようにし、カバーと閉じた際に、アクセサリシューが隠れるようにすることが考えられる。このようにすることで、着脱できるカバーのように紛失のおそれがないと共に、カバーを開けた際にも、比較的見栄えを良くすることができる。
ところが、アクセサリシューは、主としてマイクロフォンやライトなどが取付けられるものであるため、カメラ装置を構成する筐体のレンズ鏡筒の近傍でなおかつ上部などの限られた場所にしか配置できず、カバーをスライドさせるためのスペースを確保することが困難であることが多い。特に、民生用のカメラ装置の場合には、小型化が重要であり、設置スペースが確保できない点は大きな問題である。
【０００８】
また例えば、特許文献２に記載の端子カバーのように、弾性変形可能な柔軟な樹脂製のカバーで構成させて、そのカバーの一端をカメラ装置本体に固定させる構成とした場合には、常時カメラ装置に取付けられているので、紛失の可能性はない。ところが、カバーを外した際に、端子部から外されたカバーの他端側が、カメラ装置本体から伸びた状態でぶらぶらする状態となり、やはり見栄えが悪いという問題がある。
端子部のカバーについても、スライド可能なカバーとすることで、開けた際の見栄えを改善することが可能であるが、やはり、カメラ装置を小型化した場合に、カバーを開けた際のスペースの確保が困難であるという問題がある。
【０００９】
また、メモリカードスロットに蓋を設ける構成とした場合には、別の問題がある。即ち、メモリカードスロットにメモリカードを装着させる際には、カードスロット内にメモリカードがロックされる状態として、カードの端子部を、カードスロット側の接点と接触させて、カメラ装置本体がメモリカードを読み書きできる状態とする必要がある。通常、カードスロット内でのロックは、メモリカードをスロットの奥まで押し込むことで完了し、そのロックされた状態では、カードをカードスロットから取り出すことはできない。例えば、ロックされた状態のカードを、再度カードスロットの奥側に押し込むことで、そのロックが解除されて、スロットの奥に配置されたバネの作用で、カードがカードスロットから飛び出して、カードスロットからメモリカードを取り出すことができる。
【００１０】
ところが、蓋がある場合には、メモリカードがカードスロット内に完全にロックさせていない状態で、蓋でメモリカードをカードスロット内に押し込んだ状態でも、カードスロット側の接点とカードの端子部とが接触して、メモリカードの読み書きが可能となることがある。
このようなロックされていないでカードスロットの蓋が閉められることがあると、カードスロットの蓋を開けると同時に、メモリカードがカードスロットから飛び出してしまう。もし、蓋を開けた際に、メモリカードへのデータの書き込みを行っている最中である場合には、そのとき書き込み中の処理は途中で中断して、書き込みエラーとなってしまう。
従って、メモリカードがロックされていない状態で蓋やカバーが閉まるのは好ましくないという問題がある。
【００１１】
本発明はこれらの点に鑑みてなされたものであり、筐体の各部を蓋する部材を、好適なデザインで実用上も使い勝手を良くして配置したカメラ装置を提供することを目的とする。
【課題を解決するための手段】
【００１２】
本発明は、撮像部を収納する筐体とで構成されるカメラ装置に適用される。カメラ装置の筐体には、その筐体の曲面の縁部の近傍に配置した端子部と、端子部を覆う部材であり端子部の近傍の直線状のガイド溝に沿って平行に移動して開くと共に、その平行な移動で所定量開いた際に、裏面の所定位置が筐体表面の所定の突起を乗り越えて窪みに収まり、窪みに収まった状態で縁部の曲面に沿って回動して更に開く蓋部材と、蓋部材が窪みに収まった状態のとき、蓋部材を縁部の曲面に沿って開く方向に回動するように付勢させると共に、窪みに収まった状態から閉じる方向に突起を乗り越えたとき、蓋部材を直線状のガイド溝に沿って閉じる方向に付勢させる弾性部材とを備えた構成とした。
【００１３】
このように構成したことで、端子部の蓋部材が、筐体の縁部の曲面に沿って回動して、開状態での蓋部材の位置が良好な位置となる。
【発明の効果】
【００１４】
本発明によると、端子部の蓋部材を開けた際にも、その蓋部材が邪魔になることがないと共に、デザイン上も優れた配置状態となる。
【発明を実施するための最良の形態】
【００１５】
以下、本発明の一実施の形態の例を、添付図面を参照して説明する。
図１〜図４は、本実施の形態の例のカメラ装置を示した斜視図であり、それぞれ同じ方向から見た別の状態を示した図である。
本実施の形態の例（以下本例と称する）においては、デジタルビデオカメラ装置に適用した例としてある。図１に示すように、ビデオカメラ装置１００は、筐体である本体１０１に構成させてあり、その本体１０１の前方にレンズ鏡筒部１１０を備える。レンズ鏡筒部１１０は、内部に所定枚のレンズ（図示せず）を備え、そのレンズの配置箇所の前方にレンズカバー１１１が配置してあり、撮像時にはレンズカバー１１１が開いて撮像ができる構成としてある。レンズ鏡筒部１１０の脇には、照明部１１２が設けてあり、被写体を照明する。
なお、以下の説明では、ビデオカメラ装置１００のレンズ鏡筒部１１０が配置された側を前と述べ、後述するビューファインダ１５０が配置された側を後ろと述べる。また、本体１０１の右側や左側と述べた場合には、本体１０１の後ろ側から前方を見た際の右側及び左側を示す。
【００１６】
ビデオカメラ装置１００のレンズ鏡筒部１１０に配置されたレンズを介して得た像光は、ＣＣＤイメージャなどの撮像素子に入射させて、電気的な撮像信号に変換する。得られた撮像信号は、本体１０１内に配置された撮像信号処理部で処理されて、本体１０１内の記録媒体に記録（記憶）される。本例のビデオカメラ装置１００においては、記録媒体としてハードディスクとメモリカードを使用する。ハードディスクは、本体１０１に内蔵されたハードディスクドライブ装置（図示せず）が備える。メモリカードは、後述するメモリカード挿入部３１２（図２２など）に着脱自在に挿入されるものを使用する。或いは、別の記憶媒体（光ディスク、磁気テープ、内部メモリなど）を使用して撮像信号を記録させたり、或いは、通信手段を使用して撮像信号を伝送させる構成としてもよい。これらの媒体に記録させる撮像信号としては、動画の撮像信号（映像信号）を記録させるビデオモードとしての記録と、静止画の撮像信号（静止画像信号）を記録させるスチルモードとしての記録との双方が行える構成としてある。
【００１７】
撮像信号は、表示パネル部１２０に供給して、表示パネル部１２０が備えるパネル１２２（後述：図２２）に画像を表示させることができる。また、ビューファインダ１５０にも撮像信号を供給して、画像を表示させることができる。図１では、表示パネル部１２０は閉じた状態で示してあり、画像が表示されるパネル１２２は内側に収納されている。
【００１８】
ビューファインダ１５０は、本体１０１の上面部１０１ａの後方に配置してあり、接眼部１５１を後方に備える。ビューファインダ１５０の上面部１５２は、本体１０１の上面部１０１ａから若干後方になるに従って上側に盛り上がった形状である。
このビューファインダ１５０は、手前側に回動支点部１５３があり、その回動支点部１５３を中心として、接眼部１５１を上方に引き起こすことができる構成としてある。
図２は、ビューファインダ１５０の接眼部１５１を上方に引き起こした状態を示す。この図２に示すように、ビューファインダ１５０の接眼部１５１を上方に引き起こす状態で撮像を行うことで、低いアングルからの撮像が行い易くなる効果を有する。このように引き起こし可能なビューファインダ１５０は、本体１０１の上面部１０１ａの後方の切欠部１０１ｂに収まるように配置してあり、収納時には、ビューファインダ１５０の上面１５２は、本体１０１の上面部１０１ａと一体の形状となっている。
【００１９】
また、本体１０１の上面部１０１ａには、前方から順に、マイクロフォン１３１と、アクセサリシューカバー１４０とが配置してあり、アクセサリシューカバー１４０の後方にビューファインダ１５０が配置してある。
マイクロフォン１３１は、撮像時に周囲の音声を集音するマイクロフォンである。
アクセサリシューカバー１４０が配置された箇所の奥には、アクセサリシュー１７０が配置してある。このアクセサリシュー１７０は、カメラ装置の各種アクセサリを取付けるための取付け固定部であり、取付けられたアクセサリ側と通信を行うと共に電源を供給する接点も備える。図３及び図４は、アクセサリシューカバー１４０を開けて、アクセサリシュー１７０が露出した状態を示す。
【００２０】
図３に示すように、アクセサリシュー１７０は、シュー用保持金具１７１，１７２を平行に配置してあり、その２本の保持金具１７１，１７２で挟まれる位置に、アクセサリを取付ける。また、２本の保持金具１７１，１７２で囲まれる位置に、接点カバー部１７３があり、その接点カバー部１７３でカバーされた位置に複数の接点が設けてあり、取付けられたアクセサリ側と通信を行うと共に、必要により電源の供給も行う。
取付けられるアクセサリとしては、指向性などの特性が優れたマイクロフォンや、照明装置（ビデオライト）などの、主として本体１０１の前方の側を向けて取付けられるのが好ましい装置である。
例えば、図３では、アクセサリとして、別体のマイクロフォン５００を用意した例を示してある。マイクロフォン５００は、脚部５０１の下端にシュー接合部５０２を備えて、そのシュー接合部５０２を、アクセサリシュー１７０の保持金具１７１，１７２で挟まれた位置にはめ込み、若干前側にスライドさせることで、規定された位置にマイクロフォン５００が固定される。この固定された状態では、接点カバー部１７３の下に配置された接点が（図示せず）が、マイクロフォン５００のシュー接合部５０２側の接点と接触して、通信が行えると共に必要により電源が供給される。アクセサリシュー１７０を蓋する部材である、アクセサリシューカバー１４０を開閉させる構成については後述する。
【００２１】
図１の説明に戻ると、ビデオカメラ装置１００を後方から見た場合に、ビューファインダ１５０の右脇の本体１０１には、ズームレバー１０３と操作ボタン１０４とが配置してある。ズームレバー１０３は、撮影時のレンズのズーム倍率を調整するレバーである。操作ボタン１０４は、静止画の撮影を指示するシャッタボタンである。後述する図２１に示すように、動画の撮影を指示する録画ボタン１０９は、本体１０１の後端面に配置してある。
また、本体１０１の手前側のレンズ鏡筒部１１０の脇の下部には、調整ダイヤル１０５を配置してあり、この調整ダイヤル１０５を回すことで、フォーカス調整などの各種撮影に関する調整が可能である。
【００２２】
さらに本例のビデオカメラ装置１００は、レンズ鏡筒部１１０の右脇の本体１０１の縁部１０１ｃに、端子カバー１６０で覆われた端子配置部２３０が設けてある。端子配置部２３０は、図１５などで後述する。
【００２３】
次に、本体１０１の上面１０１ａに配置した、アクセサリシューカバー１４０の構成について説明する。
本例のアクセサリシューカバー１４０は、既に説明したように、本体１０１の上面１０１ａのマイクロフォン１３１とビューファインダ１５０との間に配置してある。図１に示したアクセサリシューカバー１４０を閉じた状態と、図３に示したアクセサリシューカバー１４０を開いた状態とを比較すると判るように、閉じた状態から後方、即ちビューファインダ１５０側にほぼ平行にスライドさせて、開くことができる。この開閉は、ユーザがアクセサリシューカバー１４０を指で触れて手動で行う。この開閉操作のために、ほぼ中央に突起部１４３が設けてある。アクセサリシューカバー１４０を後方にスライドさせて開いた状態では、図３に示すように、アクセサリシューカバー１４０がビューファインダ１５０の上面部１５２の上に配置される状態となる。
【００２４】
ここで本例のビデオカメラ装置１００は、図２に示すように、ビューファインダ１５０を回動させて、接眼部１５１を上方に引き起こすことが可能な構成としてある。そのようにビューファインダ１５０を回動させた際には、図４に示すように、スライドして開いたアクセサリシューカバー１４０が、手前側を支点として回動して開く構成としてある。
【００２５】
図６は、アクセサリシューカバー１４０を保持する機構を示した図であり、図７から図１１は、その機構の各部を示した図であり、図１２はその機構を分解して示す図であり、図１３は組み立てられた機構を裏側から示した図である。図６の手前側が、ビデオカメラ装置１００に装着した際に前側になる。図６などのこれらの図において、アクセサリシューカバー１４０以外の部材は、本体１０１内に配置されて、ビデオカメラ装置１００の外側からは見えない。
アクセサリシューカバー１４０は、カバー固定部材１８０に固定させてあり、そのカバー固定部材１８０が、スライド用部材１９０の左右の側面部１９２，１９３のスライド溝部１９２ａ，１９３ａに沿って、前後にほぼ水平にスライドする。
カバー固定部材１８０は、図７に示すように、左右に脚部１８１，１８２を備え、両脚部１８１，１８２を結ぶ平板部１８３の中央のネジ孔１８４を使用したネジ止めで、アクセサリシューカバー１４０を固定させる。カバー固定部材１８０の脚部１８１，１８２は、図１２に示すように、軸部材２０１，２１１で、スライド用部材１９０の左右のスライド溝部１９２ａ，１９３ａに通して、取付けてある。また、左右の軸部材２０１，２１１は、それぞれ補助板２００，２１０に取付けてあり、それぞれの補助板２００，２１０は、別の軸部材２０２，２１２で溝部１９２ａ，１９３ａに通してある。図１２に示すように、補助板２００には、軸部材２０１，２０２を通過させる孔２００ａ，２００ｂが設けてあり、補助板２１０には、軸部材２１１，２１２を通過させる孔２１０ａ，２１０ｂが設けてある。
図９は、４つの軸部材２０１，２０２，２１１，２１２を、スライド溝部１９２ａ，１９３ａに通して取付けられた状態を示した断面図であり、図１０は、軸部材２０１，２１１の位置で切断した縦断面図であり、図１１は、軸部材２０２，２１２の位置で切断した縦断面図であり、これらの各断面図に示すように、各軸部材２０１，２０２，２１１，２１２がスライド溝部１９２ａ，１９３ａにスライドできる状態で取付けられている。
【００２６】
このように右側の脚部１８１が２つの軸部材２０１，２０２でスライド溝部１９２ａに通してあり、また左側の脚部１８２が２つの軸部材２１１，２１２でスライド溝部１９３ａに通してあることで、４つの軸２０１，２０２，２１１，２１２でカバー固定部材１８０が軸支されることになり、スライド溝部１９２ａ，１９３ａに沿って安定してカバー固定部材１８０（及びその部材１８０に固定されたアクセサリシューカバー１４０）が平行にスライドできる。
【００２７】
アクセサリシューカバー１４０が固定されるカバー固定部材１８０は、軸部材２０１，２１１で軸支される構成としてあるため、この軸部材２０１，２１１を回動中心として回動できる構成としてある。但し、図７に示すように、補助板２１１との間にバネ２０３が配置してあり、そのバネ２０３の弾性力で、アクセサリシューカバー１４０の回動位置が、水平状態となるようにしてある。この水平状態で、アクセサリシューカバー１４０の後端部１４２側を上に持ち上げるような力が働いた際には、バネ２０３の弾性力に抗してアクセサリシューカバー１４０が回動する。
【００２８】
スライド用部材１９０のスライド溝部１９２ａ，１９３ａは、分解して示す図１２のように、手前側の溝端部１９２ｂ、１９２ｂが、若干下側に曲がって下がった形状としてある。カバー固定部材１８０が閉の状態では、カバー固定部材１８０の脚部１８１，１８２が、この下がった溝端部１９２ｂ、１９２ｂに位置する。図７や図８に示したカバー固定部材１８０の位置は、この閉状態の位置、即ち脚部１８１，１８２が、この下がった溝端部１９２ｂ、１９２ｂに位置した状態である。
このようにアクセサリシューカバー１４０が閉状態では、若干下に下がった位置となり、その閉状態から開状態にスライドする際には、閉状態の位置から若干上側に浮き上がった位置で、後方に平行移動するようになる。
【００２９】
なお、スライド用部材１９０の左右の側面部１９２，１９３を結ぶ平板部１９１には、図１２などに示すように、角型孔１９１ａが設けてあり、その角型孔１９１ａに、図３，図４に示したアクセサリシュー１７０が配置される。
また、スライド用部材１９０の側面部１９２，１９３は更に横に延長させて、固定用延長部１９４を設けてあり、その固定用延長部１９４に設けたネジ孔を使用したネジ止めで、本体１０１側にスライド用部材１９０が固定される。
【００３０】
このように構成される機構で保持されたアクセサリシューカバー１４０が、ビデオカメラ装置１００の本体の上面１０１ａをスライドする状態を示したのが、図５である。
図５（ａ）は、アクセサリシューカバー１４０が閉じた状態である。この閉じた状態のアクセサリシューカバー１４０は、前端部１４１がマイクロフォン１３１と隣接し、前端部１４２がビューファインダ１５０と隣接する。この閉じた状態では、アクセサリシューカバー１４０が本体の上面１０１ａとほぼ同一平面上に位置している。この閉じた状態は、図６から図１３の各図に示したカバー固定部材１８０のスライド用部材１９０に対する位置状態であり、軸部材２０１，２１１が下がった溝端部１９２ｂ、１９３ｂに位置している。
【００３１】
図５（ｂ）は、アクセサリシューカバー１４０が閉じた状態から若干開いた状態を示したものである。この状態では、軸部材２０１，２１１が溝端部１９２ｂ、１９３ｂから水平に伸びたスライド溝部１９２ａ，１９３ａに移動して、若干上方に上がった状態となる。図５（ｂ）に示すように若干上に持ち上がった状態でも、図６に示したバネ２０３の作用で、アクセサリシューカバー１４０は水平状態に維持される。図５（ｂ）の状態では、側面から見ると、カバー固定部材１８０が見えた状態となっている。
【００３２】
図５（ｃ）は、図５（ｂ）の状態から更にアクセサリシューカバー１４０を開けた状態を示したものである。この状態では、若干上に持ち上がったアクセサリシューカバー１４０が、後方のビューファインダ１５０の上面部１５２の形状に沿ってスライドする。このとき、上面部１５２の形状は上側に若干持ち上がった傾斜形状であるので、アクセサリシューカバー１４０は前端部１４１側を支点として回動して、後端部１４２が上側に若干持ち上がった状態となる。
この図５（ｃ）に示すようにアクセサリシューカバー１４０を開けることで、アクセサリシュー１７０の取付け箇所が露出し、そのアクセサリシュー１７０に各種アクセサリを取付けることが可能となる。
【００３３】
図５（ｄ）は、ビューファインダ１５０を回動させて接眼部１５１を持ち上げた状態で、アクセサリシューカバー１４０を開けた状態を示した図である。この状態では、開ける際に、アクセサリシューカバー１４０の後端部１４２がビューファインダ１５０の上面部１５２と接するが、アクセサリシューカバー１４０についても回動して、後端部１４２が持ち上がり、アクセサリシュー１７０の配置位置を完全に開けることができる。図５（ｄ）では、マイクロフォン５００をアクセサリシュー１７０に取付けた状態の例を示してある。
【００３４】
このように、本実施の形態の例のビデオカメラ装置１００によると、マイクロフォン１３１とビューファインダ１５０との間のスペースにアクセサリシュー１７０を配置して、適正な位置にアクセサリシュー１７０を配置できる。その設置位置が限られたアクセサリシュー１７０に対して、ほぼ水平にスライドして開閉するアクセサリシューカバー１４０を設けた構成としてあるが、そのアクセサリシューカバー１４０は、後方にスライドして開く際に、ビューファインダ１５０の形状に合わせて回動して開く構成としたことで、ビューファインダ１５０の接眼部１５１を引き上げた状態でも、アクセサリシューカバー１４０を開けることができ、限られたスペースに開閉可能な蓋部材であるアクセサリシューカバー１４０を良好に配置することができる。
しかも本実施の形態の例の場合には、アクセサリシューカバー１４０が閉じる際には、若干下に下がる構成として、閉じた状態では本体の周囲とほぼ同一平面上に収まるようにしたので、閉じた状態のアクセサリシューカバー１４０が、良好な位置に納まる。
【００３５】
なお、アクセサリシューカバー１４０が開く際には、図５（ｃ）、（ｄ）に示すように、後端部１４２の下側の面が、ビューファインダ１５０の上面部１５２と接触することになる。この接触時に、ビューファインダ１５０の上面部１５２に傷が着くのを防止するために、アクセサリシューカバー１４０の後端部１４２の下側の面に、柔軟性を有する樹脂シートや繊維シートなどを貼るようしてもよい。
【００３６】
次に、ビデオカメラ装置１００のレンズ鏡筒部１１０の脇に設けた端子カバー１６０とその近傍の構成について説明する。
図１４は、ビデオカメラ装置１００の端子カバー１６０を閉じた状態を示し、図１５は、端子カバー１６０を開けた状態を示す。
図１４，図１５に示すように、端子カバー１６０は、本体１０１の右側の前面の縁部１０１ｃの近傍に配置してあり、その端子カバー１６０で覆われる位置に、端子配置部２３０を設けてあり、端子カバー１６０は端子を使用しない際の蓋として機能する。端子に各種機器のコードのプラグを接続する際には、端子カバー１６０は開けた状態とする。この端子カバー１６０の開閉は、ユーザが手動で端子カバー１６０を持って行う。
【００３７】
端子配置部２３０は、図１５に示すように、端子カバー１６０を開けた状態の際に露出する。本例の端子配置部２３０には、上から順にマイクロフォン端子２３１と、ヘッドホン端子２３２と、ＨＤＭＩ端子２３３とが、ほぼ縦一列に配置してある。これらの端子２３１，２３２，２３３は、図１５に示すように、側面側を向いて配置（即ち本体１０１の前後方向とは直交する方向を向いて配置）してある。
マイクロフォン端子２３１は、別体のマイクロフォン（図示せず）を接続した際に、そのマイクロフォンからの音声信号が入力される端子である。
ヘッドホン端子２３２は、ヘッドホン（図示せず）を接続するための端子である。即ち、このビデオカメラ装置１００で撮像中にマイクロフォン１３１などで集音中の音声や、既に録画された映像と共に記録された音声を、別体のヘッドホンから出力させる際に使用する端子である。
ＨＤＭＩ端子２３３は、映像信号及び音声信号を出力させる端子であり、テレビジョン受像機やビデオ録画装置などの映像機器に、映像信号と音声信号を供給するための出力端子である。
なお、図１４及び図１５に示すように、この端子配置部２３０がある側の本体１０１の側面には、前後にベルト取付け部１０６，１０７が設けてあり、グリップベルト２５１を取付ける構成としてある。
【００３８】
本例の端子カバー１６０は、閉じた状態から開けた状態とする際には、本体１０１の側面に沿って平行に移動して前方にスライドし、ある程度の位置までスライドすると、本体１０１の曲面となった縁部１０１ｃの形状に対応して回動する構成としてある。図１５に示すように開いて回動した状態では、端子カバー１６０がレンズ鏡筒部１１０の脇に位置するようになる。
【００３９】
図１６は、本例の本体１０１の縁部１０１ｃの内側を破断して示すと共に、端子カバー１６０を裏面側から示した図である。図１６では、合成樹脂での成型で構成される本体１０１の縁部１０１ｃだけ破断して示してあり、この縁部１０１ｃの端子配置部２３０に配置される各端子２３１，２３２，２３３を構成する部品は、未装着の状態で示してあり、それぞれの端子部品が取付けられる端子配置部２３１ａ，２３２ａ，２３３ａが形成されている。
【００４０】
図１６に示すように、端子カバー１６０は、裏面側の上に水平突起部１６１を有し、また裏面側の下に水平突起部１６３を有する。上側の水平突起部１６１の先端には、係合用孔１６２が設けてある。下側の水平突起部１６３の先端には、回動支点軸部１６４を有する。また、端子カバー１６０の裏面側には、所定の形状に成形された壁部１６５，１６６を有する。
上側の水平突起部１６１の先端は、本体１０１の縁部１０１ｃ側の溝部２３４に嵌る形状としてあり、下側の水平突起部１６３の先端は、本体１０１の縁部１０１ｃ側の溝部２３５に嵌る形状としてある。
それぞれの溝部２３４，２３５に嵌めた状態で、上側の水平突起部１６１の先端の係合用孔１６２には、引張りバネ２９１の一端が係止される。引張りバネ２９１の他端側は、本体１０１の溝部２３４側に係止される。
下側の水平突起部１６３の先端の回動支点軸部１６４は、溝部２３５に嵌められる。この際に、圧縮バネ２９２が溝部２３５に配置される。
【００４１】
図１７〜図２０は、このように構成される端子カバー１６０が開閉する状態を示した図である。図１７は、本体を側面側から見た図であり、図１８は、端子カバー１６０を上から見た図であり、図１９は溝部２３４の断面で見た図であり、図２０は別の断面で見た図である。図２０は他の図とは動きを見る方向が異なり、下側から見た断面図である。図１７〜図２０のいずれの図においても、（ａ）は端子カバー１６０が閉じた状態、（ｂ）は端子カバー１６０が半分程度開いた状態、（ｃ）は端子カバー１６０が完全に開いた状態である。
【００４２】
端子カバー１６０の開閉時の動きについて説明すると、溝部２３４の断面で示した図１９に示すように、閉じた状態からある程度開く位置までは、溝部２３４に沿って水平にスライドする。この水平にスライドさせる際には、引張りバネ２９１の弾性力に抗して開ける必要がある。但し、下側の別の溝部２３５（図１６）に配置した圧縮バネ２９２は、開く方向に弾性力が作用するので、開ける際にそれほど大きな力は必要としない。
【００４３】
そして、溝部２３４の奥まで端子カバー１６０が水平にスライドすると、即ち図１９（ｂ）に示した位置になると、水平突起部１６１の係合用孔１６２の箇所が、引張りバネ２９１で引張られる力が働く。この力により、下側の別の溝部２３５に嵌った回動支点軸部１６４を回動中心として回動して、図１９（ｂ）の状態から図１９（ｃ）に示す状態に変化して、端子カバー１６０が本体１０１の曲面の縁部１０１ｃに沿って回動するようになる。その回動で、図１７（ｃ）に示すように、各端子２３１，２３２，２３３にプラグを接続するのに十分な開口量が得られる。
【００４４】
また、図１７（ｃ）に示すように開いた状態から、図１７（ａ）に示すように閉じる際には、図１６に示した溝部２３５に配置した圧縮バネ２９２の作用で、比較的小さな力で閉じる方向に端子カバー１６０が動き、端子カバー１６０が完全に閉じた状態となる。
【００４５】
なお、端子カバー１６０が完全に開いた状態では、図２０（ｃ）に示すように、端子カバー１６０の裏面の壁部１６６が、窪み部２３６に収まる構成としてあるが、その窪み部２３６の途中には突起２３６ａが設けてある。従って、端子カバー１６０が完全に開いた状態になる直前で、壁部１６６の先端が突起２３６ａを乗り越えて、窪み部２３６の奥まで収まる。窪み部２３６が回動を止める係止部材として機能する。この突起２３６ａがあるために、端子カバー１６０が完全に開いた状態から閉じるためには、若干の力で端子カバー１６０を閉じる方向に動かす必要があり、そのままの状態では開いた状態が維持される。
【００４６】
このように本実施の形態のビデオカメラ装置１００によると、端子カバー１６０を開ける際には、最初にある程度水平にスライドした後、本体１０１の端部１０１ｃの曲面に対応して回動して開くようになる。従って、開いた端子カバー１６０が本体１０１の先端から大きく突出するようなことがなく、開いた端子カバー１６０がレンズ鏡筒部１１０に隣接した位置に良好に収まる。もし端子カバー１６０がスライドだけして回動しない構成であることを想定すると、ある程度の開口量を確保するためにはスライド量を大きくする必要があり、開いた端子カバーが本体から手前側に大きく突出することになり、邪魔である。また突出量によっては、レンズ鏡筒部に納められたレンズで撮影する画角内に端子カバーが位置して、撮影を邪魔することになるが、本実施の形態の場合には、回動してレンズ鏡筒部１１０の脇に端子カバー１６０が位置するようになり、そのような不具合がない。
【００４７】
次に、ビデオカメラ装置１００のメモリカードホルダ部とその近傍の構成について説明する。
図２１〜図２３は、ビデオカメラ装置１００の左側面の表示パネル部１２０を開けた状態を示す図である。表示パネル部１２０は、支持部１２１を回動中心として開けることができる。表示パネル部１２０の内側には、画像などを表示するパネル１２２が取付けてある。パネル１２２は、周囲の枠部１２３から若干奥に引っ込んだ位置に配置してある。枠部１２３には、操作ボタン１２４などが配置してある。パネル１２２そのものも、タッチパネルとして構成してあり、パネル表面を触れることで各種操作が可能である。なお、枠部１２３から奥に引っ込んだ位置にパネル１２２が配置してあることで、後述するメモリカードの蓋部３２０を開けた際に、その蓋部３２０は枠部１２３と接触し、蓋部３２０がパネル１２２の表面と接触することはない構成としてある。
【００４８】
このような表示パネル部１２０を開けた際に露出し、表示パネル部１２０を閉じた際には隠れる本体１０１の右側面部１０１ｄには、メモリカードホルダ部３１０が配置してある。また、本体１０１の右側面部１０１ｄには、操作ボタン３０１やスライドスイッチ３０２が配置してあり、各種操作が行える。
メモリカードホルダ部３１０には、図２１に示すように蓋部３２０が取付けてある。蓋部３２０は、図２２及び図２３に示すように支点を中心に回動して開閉する構成としてある。蓋部３２０は、ユーザが手動で開閉させるものである。
【００４９】
本例においては、図２２に示すように、メモリカードホルダ部３１０に装着されるメモリカード４００は、平板状のメモリカードであり、一端に接点部４０１が配置してある。
このメモリカード４００は、図２２に示すように、本体１０１の側面１０１ｄのメモリカードホルダ部３１０に対して垂直方向に抜き差しして、着脱を行う。
【００５０】
メモリカード４００を完全にメモリカードホルダ部３１０内に挿入した状態及びメモリカード４００を挿入していない状態では、図２１に示すように、蓋部３２０を閉じることができる。メモリカードホルダ部３１０は、カード挿入部３１２に挿入されたメモリカード４００をロックするロック機構を備え、メモリカード４００が挿入された状態で、そのロック機構でロックされていない状態では、蓋部３２０を閉じることができない構成としてある。
メモリカード４００が挿入されていない図２２に示すように、直立した状態に挿入口３１２ａが配置されたカード挿入部３１２の両脇には、それぞれ半円形に窪んだ凹部３１１，３１３が設けてある。
この凹部３１１，３１３は、カード挿入部３１２に挿入されたメモリカード４００を取り出す際に、ユーザがメモリカード４００の後端４０２に触れやすいように設けたものである。
図２２に示すように、蓋部３２０の裏側の縁には、突条部３２１を設けてある。この突条部３２１は、後述する図２５に示すように、傾斜面３２１ａを有する。傾斜面３２１ａは、例えば約４５°程度に傾斜した面としてあり、蓋部３２０を半分閉じた状態では、カード挿入部３１２に挿入途中のメモリカード４００の平面とほぼ平行になる。また、蓋部３２０の縁の突条部３２１と若干の間隔を開けて平行に、突条部３２２（図２４参照）が設けてある。２本の突条部３２１，３２２を離す間隔は、メモリカード４００の厚さに対応した間隔としてある。
このように蓋部３２０の裏側の縁に、傾斜面３２１ａを有する突条部３２１があることで、メモリカード４００がロックされていない状態で挿入されて蓋部３２０が閉じられてしまうことが防止される。
【００５１】
次に、このロックされていない状態で蓋部３２０が閉じられることを防止する機構について説明する。
まず、カード挿入部３１２に挿入されたメモリカード４００がロックされる機構の概要を、図２６に示す。
図２６（ａ）はメモリカード４００が挿入途中の図（即ちロックされていない状態）であり、図２６（ｂ）はメモリカード４００が挿入されてロックされた状態の図である。なお、図２６では蓋部３２０は省略してある。カード挿入部３１２の奥のカード挿入端３１４には、複数の端子３１５が配置してあり、図２６（ｂ）に示すように、それぞれの端子３１５が接点部４０１と接触して、メモリカード４００に記憶データ（撮像データなど）を書き込ませることができると共に、メモリカード４００から記憶データを読み出すことができる。
【００５２】
そして、図２６に示すように、カード挿入部３１２の途中にはロック部材３１６が配置してあり、さらにカード挿入部３１２のカード挿入端３１４には、押し上げ部材３１７が配置してある。ロック部材３１６と押し上げ部材３１７は、連動部材３１８により連動して作動する構成としてあり、ロック部材３１６がメモリカード４００の切り欠き部４０３に嵌って、ロックがかかった状態（図２６（ｂ）に示す状態）では、押し上げ部材３１７はメモリカード４００を押し上げない。また、ロック部材３１６がメモリカード４００の切り欠き部４０３に嵌ってなく、ロックがかかっていない状態（図２６（ａ）に示す状態）では、押し上げ部材３１７はメモリカード４００を押し上げる力が働く。以下の説明では、ロックがかかった状態でのメモリカード４００の位置を、第１の位置と称し、ロックがかかっていない状態でカード挿入部３１２に挿入されたメモリカード４００が、押し上げ部材３１７で押し上げられた位置を、第２の位置と称する。第１の位置では、メモリカード４００の後端部４０２は、図２６（ｂ）に示すように、カード挿入口３１２ａとほぼ同一面に位置する。第２の位置では、メモリカード４００の後端部４０２は、カード挿入口３１２ａからある程度突出した状態となる。
【００５３】
次に、カード挿入部３１２に挿入されたメモリカード４００と、蓋部３２０との関係を、図２４を参照して説明する。
図２４（ａ）は、メモリカード４００がロックされた状態であり、蓋部３２０を閉じた状態である。
図２４（ｂ）は、メモリカード４００がロックされた状態であり、蓋部３２０が開いた状態である。
これらの図２４（ａ），（ｂ）に示すように、メモリカード４００がロックされた状態では、図示しない支点を中心に回動する蓋部材３２０は、自在に開閉することができる。なお、ロックされたメモリカード４００の後端部４０２は、蓋部３２０の裏面の２本の突条部３２１，３２２で押さえられた状態となり、動きが規制される状態となっている。
【００５４】
図２４（ｃ）は、挿入されたメモリカード４００がロックされていない状態（即ち第２の位置の状態）であり、蓋部３２０も開いた状態である。
図２４（ｄ）は、図２４（ｃ）と同様に挿入されたメモリカード４００がロックされていない状態であり、その状態で蓋部３２０を閉じようとした場合の例である。図２４（ｄ）の要部は、図２５に拡大して示してある。なお、図２５には、蓋部３２０の回動支点３２３を示してある。
これらの図２４（ｃ），（ｄ）及び図２５に示すように、メモリカード４００がロックされていない状態では、蓋部３２０を閉じることでできない構成としてある。即ち、図２５に示すように、メモリカード４００の縁の平面部と、蓋部３２０の縁の突条部３２１の傾斜面３２１ａとがほぼ平行な状態で対向するようになる。従って、その状態で蓋部３２０を閉じる方向に押しても、メモリカード４００の平面部４００ａが押されるだけであり、後端部４０２を押すことにはならない。従って、メモリカード４００がロックされていない状態で、蓋部３２０を閉じようとしても、蓋部３２０が閉じることがない。
【００５５】
もし、蓋部３２０の縁に突条部３２１がない場合には、蓋部３２０の縁がメモリカード４００の後端部４０２の縁と接触して、蓋部３２０を閉じる力が、メモリカード４００を押し下げる力として作用して、メモリカード４００が押し下げられ、ロックされていない中途半端な状態で蓋部３２０が閉じられてしまう可能性がある。このようなことがあると、蓋部３２０を開けた際に、メモリカード４００が飛び出してしまい好ましくないと共に、メモリカード４００への読み書きの途中でカードが外れてしまう可能性があり、好ましくない。
これに対して本実施の形態のビデオカメラ装置１００の場合には、ロックされていない状態でメモリカード４００が装着された際には、蓋部３２０を閉じることができず、ロックされた状態のメモリカード４００に対してだけ確実に蓋をすることができる。
【００５６】
なお、上述した実施の形態では、ハードディスクなどの媒体にデジタルビデオデータを記録するデジタルビデオカメラ装置に適用した例について説明したが、その他の各種カメラ装置にも本発明は適用可能であることは勿論である。例えば、主として静止画像の撮像を行う、いわゆる電子スチルカメラ装置にも適用可能である。
【図面の簡単な説明】
【００５７】
【図１】本発明の一実施の形態によるカメラ装置の例を示す斜視図である。
【図２】一実施の形態のカメラ装置のビューファインダを引き起こした状態を示す斜視図である。
【図３】一実施の形態のカメラ装置のアクセサリシューカバーを開けた状態を示す斜視図である。
【図４】一実施の形態のカメラ装置のビューファインダを引き起こして、アクセサリシュー蓋を開けた状態を示す斜視図である。
【図５】一実施の形態のカメラ装置の各状態の例を示す側面図である。
【図６】一実施の形態のカメラ装置のアクセサリシューカバーとその移動機構の例を示す斜視図である。
【図７】一実施の形態のカメラ装置のアクセサリシューカバーの移動機構の例を示す斜視図である。
【図８】一実施の形態のカメラ装置のアクセサリシューカバーの移動機構の例を示す側面図である。
【図９】図８のIX−IX線に沿う断面図である。
【図１０】図８のＸ−IＸ線に沿う断面図である。
【図１１】図８のXI−XI線に沿う断面図である。
【図１２】図７のアクセサリシューカバー及びその移動機構の分解斜視図である。
【図１３】図７のアクセサリシューカバー及びその移動機構を底面側から見た斜視図である。
【図１４】本発明の一実施の形態によるカメラ装置の例を示す斜視図である。
【図１５】一実施の形態のカメラ装置の端子カバーを開けた状態の例を示す斜視図である。
【図１６】一実施の形態の端子カバーの裏面側を分解して示す一部破断分解斜視図である。
【図１７】一実施の形態の端子カバーの開閉状態を示した側面図である。
【図１８】一実施の形態の端子カバーの開閉状態を示した上面図である。
【図１９】一実施の形態の端子カバーの開閉状態を断面で示した断面図である。
【図２０】一実施の形態の端子カバーの開閉状態を図１９とは別の断面で示した断面図である。
【図２１】本発明の一実施の形態によるカメラ装置の表示パネル部を開いた状態の例を示す斜視図である。
【図２２】図２１からメモリカードカバーを開いた状態の例を示す斜視図である。
【図２３】メモリカードを挿入させてロックさせてない状態の例を示す斜視図である。
【図２４】一実施の形態によるメモリカード挿入部の各状態の例を断面で示す断面図である。
【図２５】図２４（ｄ）の要部を拡大して示す断面図である。
【図２６】一実施の形態のメモリカード挿入部に挿入されたメモリカードのロック状態の概要の例を断面で示す説明図である。
【符号の説明】
【００５８】
１００…ビデオカメラ装置、１０１…本体、１０１ａ…本体上面部、１０１ｂ…切欠部、１０１ｃ…本体縁部、１０１ｄ…右側面部、１０３…ズームレバー、１０４…操作ボタン、１０５…調整ダイヤル、１０６，１０７…ベルト取付け部、１０９…録画ボタン、１１０…レンズ鏡筒部、１１１…レンズカバー、１１２…照明部、１２０…表示パネル部、１２１…支持部、１２２…パネル、１２３…枠部、１３１…マイクロフォン、１４０…アクセサリシューカバー、１４１…前端部、１４２…後端部、１４３…突起部、１５０…ビューファインダ、１５１…接眼部、１５２…上面部、１５３…回動支点部、１６０…端子カバー、１６１…水平突起部、１６２…係合用孔、１６３…水平突起部、１６４…回動支点軸部、１６５，１６６…壁部、１７０…アクセサリシュー、１７１，１７２…シュー用保持金具、１７３…接点カバー部、１８０…カバー固定部材、１８１，１８２…脚部、１８３…平板部、１８４…ネジ孔、１９０…スライド用部材、１９１…平板部、１９１ａ…角型孔、１９２，１９３…側面部、１９２ａ，１９３ａ…スライド溝部、１９２ｂ、１９３ｂ…溝端部、１９４…固定用延長部、２００…補助板、２００ａ，２００ｂ…孔、２０１，２０２…軸部材、２０３…バネ、２１０…補助板、２１０ａ，２１０ｂ…孔、２１１，２１２…軸部材、２３０…端子配置部、２３１…マイクロフォン端子、２３１ａ…端子配置部、２３２…ヘッドホン端子、２３２ａ…端子配置部、２３３…ＨＤＭＩ端子、２３３ａ…端子配置部、２３４，２３５…溝部、２３６…窪み部、２３６ａ…突起、２５１…グリップベルト、２９１…引張りバネ、２９２…圧縮バネ、３０１…操作ボタン、３０２…スライドスイッチ、３１０…メモリカードホルダ部、３１１…凹部、３１２…メモリカード挿入部、３１３…凹部、３１４…カード挿入端、３１５…端子、３１６…ロック部材、３１７…押し上げ部材、３１８…連動部材、３２０…蓋部、３２１…突条部、３２１ａ…傾斜面、３２２…突条部、３２３…回動支点、４００…メモリカード、４０１…接点部、４０２…後端部、５００…マイクロフォン、５０１…脚部、５０２…シュー接合部
【図１】
0004438862.tif 000002
【図２】
0004438862.tif 000003
【図３】
0004438862.tif 000004
【図４】
0004438862.tif 000005
【図５】
0004438862.tif 000006
【図６】
0004438862.tif 000007
【図７】
0004438862.tif 000008
【図８】
0004438862.tif 000009
【図９】
0004438862.tif 000010
【図１０】
0004438862.tif 000011
【図１１】
0004438862.tif 000012
【図１２】
0004438862.tif 000013
【図１３】
0004438862.tif 000014
【図１４】
0004438862.tif 000015
【図１５】
0004438862.tif 000016
【図１６】
0004438862.tif 000017
【図１７】
0004438862.tif 000018
【図１８】
0004438862.tif 000019
【図１９】
0004438862.tif 000020
【図２０】
0004438862.tif 000021
【図２１】
0004438862.tif 000022
【図２２】
0004438862.tif 000023
【図２３】
0004438862.tif 000024
【図２４】
0004438862.tif 000025
【図２５】
0004438862.tif 000026
【図２６】
0004438862.tif 000027